(57)【特許請求の範囲】
【請求項１】
特定の一方向の両側が開口する筐体（２）に支持され前記筐体（２）の両側の開口部分を開閉する一対の蓋（３）を、閉状態に維持する筐体用蓋止め具であって、
前記筐体（２）の壁内面側に取り付けられて一対の前記蓋（３）の閉状態を維持しおよび前記筐体（２）の壁外面側から一対の前記蓋（３）の閉状態を解除可能なロック機構（５）と、
それぞれの前記蓋（３）の内面側に取り付けられ前記ロック機構（５）に係止される一対の係止部（４）と、により構成され、
前記ロック機構（５）は、
両端において前記両端を結ぶ方向に対して略直交方向に延びる鉤部（６ａ）を備えた係止板（６）と、
前記鉤部（６ａ）が前記筐体（２）の前記壁内面側に向くようにかつ両側の前記鉤部（
６ａ）が個別に前記筐体（２）の前記壁内面に対する距離を変化可能なように、両側の前記鉤部（６ａ）の間において前記係止板（６）を前記筐体（２）に取り付けるための取り付け手段（３３，３４）と、
前記筐体（２）に一体化されたときにその一部が前記筐体（２）から外部に露出し、前記係止板（６）におけるそれぞれの前記鉤部（６ａ）を個別に前記筐体（２）の前記壁内面から離れる方向に移動させるための一対の押圧手段（８）と、を有し、
前記係止部（４）は、
前記鉤部（６ａ）が入り込んだときに両側の前記鉤部（６ａ）が並ぶ方向への前記係止板（６）の移動を制限する係止溝（４ｂ）を備えた
ことを特徴とする筐体用蓋止め具。
【請求項２】
前記取り付け手段（３３，３４）は、
前記係止板（６）における両側の前記鉤部（６ａ）の間を嵌め入れる溝（３３ａ）を有して前記筐体（２）に取り付けられる板台座（３３）と、
一端が前記係止板（６）に設けられたピン孔（６ｃ）を貫通して前記板台座（３３）に固定され、他端に前記ピン孔（６ｃ）を通過しない大きさの頭部（３４ａ）を有する支持ピン（３４）と、により形成される
請求項１に記載の筐体用蓋止め具。
【請求項３】
前記ロック機構（５）は、
前記筐体（２）に取り付けられた前記係止板（６）を前記筐体（２）の前記壁内面側に付勢する付勢手段（３５）を備えた
請求項１または請求項２に記載の筐体用蓋止め具。
【請求項４】
そのコイル状の中心を前記支持ピン（３４）が貫通し前記係止板（６）と前記頭部（３４ａ）との間に保持された圧縮バネ（３５）を有する
請求項２に記載の筐体用蓋止め具。
【請求項５】
特定の一方向の両側が開口する筐体（２）と、
前記筐体（２）に支持されて前記筐体（２）の両側の開口部分を開閉する一対の蓋（３）と、
前記筐体（２）の内部に配された光源（１０）と、
前記蓋（３）に設けられ前記光源（１０）からの光を透過する発光面（２３）と、
請求項１ないし請求項４に記載の筐体用蓋止め具（１）と、を備えている
発光装置。
【発明の詳細な説明】
【技術分野】
【０００１】
本発明は、筐体の蓋を止める蓋止め具、及びこの止め具を用いて蓋を止める案内板、看板等の発光装置に関するものである。
【背景技術】
【０００２】
従来、駅のホームなどの案内板や、広告宣伝用看板等の照明式発光装置の筐体に用いられる筐体用蓋止め金具が知られている。
この筐体用蓋止め金具は、発光装置などの様々な形の筐体（例えば、駅舎や建物内外の天井、壁、ドア等に組み込んだ内蔵型のものや、或いは表示板、光源を取り付けた所望形状のフレームを吊り下げて独立型としたもの）に用いることができる。
【０００３】
特許文献１には、発光装置などの筐体の蓋を止める技術が開示されている。
この技術において、筐体用蓋止め金具は、筐本体と蓋の一方に固着される取付座と、この取付座の前端部に枢着した操作レバーと、この操作レバーに枢軸で枢着された掛金と、この掛金と係合し且つ筐本体と蓋の他方に固着される受金と、掛金を後方に付勢するバネとを有している。
【０００４】
この筐体用蓋止め金具によって筐体の蓋を止める際には、掛金を受金に掛け合わせた後、バネの作用に抗しながら操作レバーを下方へ押圧回転させる。操作レバーが、掛金と受金との掛合点と、枢軸とを結ぶ直線（デッドライン）を越えると、バネの付勢力によって掛金と受金とは緊密に係合することとなる。
【先行技術文献】
【特許文献】
【０００５】
【特許文献１】特開平９−２０９６３９号公報
【発明の概要】
【発明が解決しようとする課題】
【０００６】
しかしながら、上記従来の筐体用蓋止め金具は、筐体の壁外面側に取り付けられ外方へ膨出しているため、筐体の取付作業や部品交換作業中にコード類や作業者の衣類や等が引っ掛かる可能性がある。
これに加え、駅構内等の発光装置では、筐体外部に露出した筐体用蓋止め金具が人目につき、デザイン的にも不体裁で煩雑である。
【０００７】
そこで、本発明は、上述した問題点を鑑み、蓋の係止部との係止を筐体の壁外面側から解除可能なロック機構を筐体の壁内面側に設けることで、コードや衣類等の引っかかりを抑え、デザイン性を向上させた筐体用蓋止め具、及びこれを用いた発光装置を提供することを目的とする。
【課題を解決するための手段】
【０００８】
前記目的を達成するため、本発明は、以下の技術的手段を採用した。
本発明に係る筐体用蓋止め具１は、特定の一方向の両側が開口する筐体２に支持され筐体２の両側の開口部分を開閉する一対の蓋３を、閉状態に維持する筐体用蓋止め具である。
筐体用蓋止め具は、筐体２の壁内面側に取り付けられて一対の蓋３の閉状態を維持しおよび筐体２の壁外面側から一対の蓋）の閉状態を解除可能なロック機構５と、それぞれの蓋３の内面側に取り付けられロック機構５に係止される一対の係止部４と、により構成される。
【０００９】
ロック機構５は、両端においてこの両端を結ぶ方向に対して略直交方向に延びる鉤部６ａを備えた係止板６と、鉤部６ａが筐体２の壁内面側に向くようにかつ両側の鉤部６ａが個別に筐体２の壁内面に対する距離を変化可能なように、両側の鉤部６ａの間において係止板６を筐体２に取り付けるための取り付け手段３３，３４と、筐体２に一体化されたときにその一部が筐体２から外部に露出し、係止板６を動作させてそれぞれの鉤部６ａを個別に筐体２の壁内面から離れる方向に移動させるための一対の押圧手段８と、を有する。
【００１０】
ここで「鉤部６ａが筐体２の壁内面側に向くように」における「壁内面」とは、ロック機構について「筐体２の壁内面側に取り付けられて」とした「壁内面」のことである。
係止部４は、鉤部６ａが入り込んだときに両側の鉤部６ａが並ぶ方向への係止板６の移動を制限する係止溝４ｂを有する。
これによって、筐体２内に設けたロック機構５が筐体２の壁外面から解除操作可能であって、筐体用蓋止め具１のすべてを外部に露出させなくてもすむため、筐体２の壁外面に膨出を最小限に抑えられるとともに、筐体２のデザイン性を向上させることが可能となる。
【００１１】
好ましくは、取り付け手段３３，３４は、係止板６における両側の鉤部６ａの間を嵌め入れる溝３３ａを有して筐体２に取り付けられる板台座３３と、一端が係止板６に設けられたピン孔６ｃを貫通して板台座３３に固定され、他端にピン孔６ｃを通過しない大きさの頭部３４ａを有する支持ピン３４と、により形成される。
好ましくは、ロック機構５は、筐体２に取り付けられた係止板６を筐体２の壁内面側に付勢する付勢手段３５を備える。
【００１２】
こうすることで、蓋３の係止部４に係止された係止板６は、筐体２の壁内面側に沿うように近接し、係止を外す場合でも必要最低限の距離だけ壁内面から離反させればよいため、筐体２の内方へほとんど膨出することがなく、筐体２内における他の部材用スペースを十分に確保できる。
付勢手段として、そのコイル状の中心を支持ピン３４が貫通し係止板６と頭部３４ａとの間に保持された圧縮バネ３５を採用することができる。
【００１３】
上述した筐体用蓋止め具は、押圧手段８を押し込むだけで簡単に係止板６の係止を外すことができると同時に、筐体２の外部に露出する部分を押圧手段８だけにとどめることが可能となって、見栄えの向上が図れる。
上述した筐体用蓋止め具は、筐体２に支持された２つの蓋３を、１つのロック機構５によって開き動作を阻止でき、筐体用蓋止め具１の小型化と、構造の簡素化を図れる。
【００１４】
上述した筐体用蓋止め具は、係止板６が、係止時には筐体２の壁内面側に沿うように近接し且つ必要最低限の離反で係止が外れるため、筐体２内で省スペース化が図れると同時に、前後の蓋３の係止を１つの係止板６で兼用することができ、さらにロック機構５の小型化が図れるとともに、係止板６を傾斜可能に離反させることで、係止板６と前後一方の
係止部４との係止を外したり、さらには前後両方の係止部４との係止を同時に外すことも可能となるため、前後の蓋３のロック解除作業の容易化も図れる。
【００１５】
筐体用蓋止め具は、押圧手段８の押込みによる簡単な係止解除と、筐体２の外観向上を図るとともに、係止板６における前後の端部を個別又は両方を離反させることが簡単にでき、蓋３のロック解除作業がさらに容易となる。
本発明に係る発光装置は、特定の一方向の両側が開口する筐体２と、筐体２に支持されて筐体２の両側の開口部分を開閉する一対の蓋３と、筐体２の内部に配された光源１０と、蓋３に設けられ光源１０からの光を透過する発光面２３と、上述した筐体用蓋止め具１と、を備えている。
【００１６】
これにより、筐体２を設置した後でも、内部の光源１０の取換作業等がスムースに行えると同時に、人目につく筐体２底面等の見栄えをよくすることが可能となる。
【発明の効果】
【００１７】
本発明によると、筐体の壁外面側から解除可能なロック機構を筐体の壁内面側に設けて、コードや衣類等の引っかかりを抑え、発光装置等の筐体の外観を向上できる。
【図面の簡単な説明】
【００１８】
【図１】本発明の第１実施形態に係る筐体用蓋止め具を用いた発光装置の断面側面図である。
【図２】（ａ）は発光装置の平面図で、（ｂ）は発光装置の正面図である。
【図３】発光装置の底面斜視図である。
【図４】筐体用蓋止め具のロック機構の要部斜視図である。
【図５】筐体用蓋止め具を用いた発光装置の断面側面図である。
【発明を実施するための形態】
【００１９】
以下、本発明の実施形態を、図面に基づき説明する。
［第１実施形態］
図１〜４には、第１実施形態に係る筐体用蓋止め具１を用いた駅構内の案内表示や、看板等の発光装置２１が示されている。
発光装置２１は、正面視で左右幅広に且つ略直方体状に形成され、上部から立設する取付部材２２を介して駅舎、デパート等の建造物の天井Ｔに取り付けられる。
【００２０】
図１に示すように、発光装置２１は、箱型の筐体２と、この筐体２の前後側に開閉自在に支持された板状の蓋３と、筐体２内部の光源１０と、この光源１０からの光で発光する発光面２３とを有している。
この発光面２３が上述した蓋３に設けられており、また、この蓋３の開き動作を規制するロック機構５が前記筐体２の内部側に設けられている。
［発光装置２１とその筐体２］
図２（ｂ）に示す如く、筐体２は、前記蓋３を前後の開口部に取り付ける正面視で略ロ字型の外枠材２４と、この外枠材２４の左右側の壁内面に設けられた光源１０用のソケット２５と、外枠材２４の上下側の壁内面に設けられた光反射用の反射部材２６とを有している。
【００２１】
なお、光源１０は、蛍光灯や長尺円柱状のＬＥＤ灯であって、上下略中央で左右方向に沿って配備されている。光源１０の各端部には電源端子１０ａが設けられており、この電源端子１０ａを前記ソケット２５に差し込む。このソケット２５に差し込まれることで、光源１０は、漏電ブレーカー２７及び安定器２８を介して外部電源（図示省略）に接続される。
【００２２】
外枠材２４は、案内板、看板等を支持するための枠部材であって、鋼材、樹脂等によって正面視で左右幅広に形成されている。外枠材２４は、左右に長い略矩形の上板２４ａと、この上板２４ａの両端から下方向に延設した左右一対の側枠体２４ｂと、左右の側枠体２４ｂの下端間にわたって取り付けられた左右に長い略矩形の下板２４ｃとを有している。
【００２３】
これら上板２４ａ、側枠体２４ｂ及び下板２４ｃで筐体２の壁が形成されている。
図２（ａ）に示すように、上板２４ａの上面には、筐体２の前後側の蓋３をそれぞれ枢
支するために、蝶盤等の枢支具２９が各コーナー付近に（つまり合計４つ）設けられている。よって、この枢支具２９の枢支軸２９ａ回りに、前後の蓋３それぞれが揺動して外枠材２４の各開口部を開閉する。
【００２４】
これに加えて上板２４ａには、これらの枢支具２９に前後を挟まれていて蓋３の開閉に支障のない位置に上述した取付部材２２が設けられている。
なお、この取付部材２２は、上板２４ａにねじ込まれた吊りボルト２２ａと、これを覆う支持ブラケット２２ｂとを備えている。さらに、この支持ブラケット２２ｂで囲まれた位置には、光源１０と外部電源とを接続する電気配線用に上板２４ａを貫通する配線孔３０が穿設されている。
【００２５】
図１に示すように、上板２４ａの下面には、細長い略矩形状の板体を幅方向略中央にて折り曲げて断面を台形状とした台座部３１（上台座部３１ａ）が、下方突出状に上板２４ａの長手方向に沿って設けられている。この上台座部３１ａは、前記吊りボルト２２ａの下端部等を覆うと同時に、下面側に漏電ブレーカー２７や、上述の反射部材２６が取り付けられている。
【００２６】
この反射部材２６は、細長い略矩形状の板体を幅方向略中央にて折り曲げて（つまり、側面視で略Ｖ字形状と）形成した反射板であって、表面（略Ｖ字形状外側の面）に反射性塗料を塗布している。反射部材２６の二股に分かれた両端部（両基端部）２６ａは、上台座部３１ａにビス等を介して取り付けられ、反射部材２６は、上下略中央に配置された光源１０から所定距離はなれた位置まで下方突出している。
【００２７】
反射部材２６を上述のように配備することで、反射部材２６は、光源１０から離れるにつれて前後の発光面２３に近づくこととなるため、光源１０から遠い部位においても発光面２３において十分な光量を確保できる。
側枠体２４ｂは、断面略Ｕ字状の柱体であって、内部には前記安定器２８や、光源１０によって発生する熱を外部に逃がすために、換気手段（図示省略）が設けられている。側枠体２４ｂの上面には、防虫ネットを備えた熱抜き孔３２が設けられている（図２（ａ）参照）。
【００２８】
各側枠体２４ｂの左右内側面（外枠材２４の左右側の壁内面）には、前記ソケット２５が上下方向の略中央位置に内方突出状に設けられている。
図１に示す如く、下板２４ｃは、上板２４ａと同様に、台座部３１（下台座部３１ｂ）と、上述のような反射部材２６とが設けられており、光源１０から離れることで光が弱まっても、前後の発光面２３へは十分な光を反射できる。
【００２９】
なお、下台座部３１ｂと下板２４ｃ上面との間には、所定の空間Ｋがある。
［発光装置２１の蓋３］
図１及び図２（ｂ）に示す如く、前記蓋３は、板材で形成された発光面２３と、この発光面２３を取り囲んで支持する略ロ字型の枠部材とを有している。
発光面２３は、透光性のあるアクリル、セラミック等の部材で形成されており、発光面２３の内部側（裏側）に光を照射することで、発光面２３を介して筐体２の外部へ光が出射される。また、発光面２３の表面には、案内及び業務表示や、貼り紙、貼り札などの広告物等が刻印又は貼り付けられている。
【００３０】
なお、発光装置２１を照明器具として用いた際には、発光面２３は採光面の役割を果たす。
蓋３の上部は、前記外枠材２４の上面（上板２４ａ上面）に枢支具２９によって開閉自在に枢支されている（つまり、蓋３は上部側が枢支端となる）。また、蓋３の自由端である下部には、筐体２側の係止板６と係止する係止部４が設けられている。
【００３１】
この係止部４は、蓋３の下端部の内面から内方へ突出した先細り状の係止突起４ａと、この係止突起４ａの先端部に設けられた係止溝４ｂとを有している。この係止溝４ｂは、係止突起４ａの上面側で左右に延び且つ上方開口状に形成されている。
［ロック機構５］
前記ロック機構５は、上述した空間Ｋ内の下板２４ｃ上面（つまり、筐体２の壁内面）に左右方向に所定間隔を空けて複数（本実施形態においては、２つ）設けられており、蓋
３の前記係止部４に係止して蓋３の開き動作を阻止すべく下記構成となっている。
【００３２】
図１、４に示す如く、ロック機構５は、外枠材２４の下板２４ｃの上面（筐体２の壁内面）に取り付けられた板台座３３と、この板台座３３に支持された状態で前記蓋３の係止部４と係止する略矩形状の係止板６と、この係止板６のピン孔６ｃに遊嵌する支持ピン３４と、この支持ピン３４に止められて係止板６を下方（筐体２の壁内面）側へ近接する方向に付勢する付勢手段３５と、筐体２の壁（板台座３３及び下板２４ｃ）の貫通孔９内で出退自在で且つ下端部が外部に露出したビット部材８とを有している。
【００３３】
このロック機構５によって、蓋３は下端部が外枠材２４に係止して閉じた状態で保持され、筐体２の壁下面の外部からビット部材８を押し込むことで、付勢手段３５の付勢力に逆らって係止板６が上昇し、係止板６と係止部４との係止が外れ、蓋３を上方に開くことが可能となる。
［板台座３３、係止板６、ビット部材８等］
前記板台座３３は、長手方向が前後に沿うように下板２４ｃの上面に取り付けられた略直方体部材であって、この上面に前記係止板６が嵌り込み可能な幅広の溝３３ａが形成されている。この溝３３ａ底面の略中央には前記支持ピン３４をねじ込むべく雌ネジが切られた螺合穴３３ｂが設けられ、この螺合穴３３ｂの前後には、ビット部材８を摺動自在に支持する前記貫通孔９（厳密には、貫通孔９の一部）が穿設されている（図４参照）。
【００３４】
この貫通孔９は、下部（下板２４ｃに近い部分）が上部よりも径小な孔径小部９ａが設けられ、この孔径小部９ａと前記上部（孔径大部９ｂ）との間に孔段差９ｃが形成されている。
なお、下板２４ｃには、板台座３３を取り付けた際に孔径小部９ａと連通する連通孔３７が設けられており、以下は、この連通孔３７も含めて、筐体２の壁に設けた貫通孔９とする。
【００３５】
また、板台座３３には、前後面の下部から前後方向の外方へ突出した薄板状の脚部３３ｃが設けられている。これら前後の脚部３３ｃの突端が下台座部３１ｂの前後の内面に当接することで、板台座３３がロック解除操作によってずれるのを防いでいる（図１参照）。
なお、前記係止部４の係止突起４ａは、下台座部３１ｂに設けられた進入孔３６をくぐって、空間Ｋ（下台座部３１ｂ）内の板台座３３の脚部３３ｃ上方へ進入してくる。
【００３６】
図１、４に示すように、前記係止板６は、長手方向が前後に沿うように配置される横長の板材である。
係止板６の前後端から下方（筐体２の壁内面側）へ延設された鉤部６ａがそれぞれ形成されている。この鉤部６ａにおける延設幅は、係止板６が溝３３ａ底面に当接した際には、蓋３が閉じて下台座部３１ｂの進入孔３６に進入した係止突起４ａの係止溝４ｂに、鉤部６ａが係止可能となる長さに設定されている。
【００３７】
また、係止板６の長さ（前後の鉤部６ａ間の距離）は、係止板６が溝３３ａ底面に当接している時には、前後の蓋３の係止部４に同時に係止可能となるべく前後の係止部４間にわたって係止板６が掛け渡せるように設定されている。
これにより、筐体２に支持された２つの蓋３を、１つのロック機構５（係止板６）で兼用して開き動作を阻止でき、筐体用蓋止め具１の小型化と、構造の簡素化を図れる。
【００３８】
なお、鉤部６ａ先端の前後外側は、面取りされており、この面取り部６ｂによって、先細り状の係止突起４ａが鉤部６ａと係止する位置まで進入しやすくなっている。
係止板６の略中央には、板厚方向に貫通するピン孔６ｃが穿孔されており、このピン孔６ｃの直径は、前記支持ピン３４の直径より若干大きく設定されている。
前記支持ピン３４は、フランジ状の頭部３４ａを備え、ピン軸方向中途部から下部にかけて雄ネジ部３４ｂが形成されている。
【００３９】
したがって、この雄ネジ部３４ｂを板台座３３の螺合穴３３ｂにねじ込むことで、支持ピン３４が板台座３３の溝３３ａ底面から立設し、且つ支持ピン３４の頭部３４ａは溝３３ａ底面から所定高さＬ（頭部高さＬ）に位置する。
前記付勢手段３５は、コイル状の圧縮バネ３５（押しバネ）であって、その内径は、前
記支持ピン３４及び係止板６のピン孔６ｃよりも大きく、且つ前記支持ピン３４の頭部３４ａの直径よりも小さく形成されている。
【００４０】
圧縮バネ３５の長さは、圧縮されない自然長で前記頭部高さＬよりも長く形成されている。ゆえに、この圧縮バネ３５と係止板６とを支持ピン３４に遊嵌して、支持ピン３４の雄ネジ部３４ｂを板台座３３の螺合穴３３ｂにねじ込めば、常時、係止板６のピン孔６ｃ周辺部を下方（筐体２の壁内面に近接する方向）へ押圧（付勢）することとなる。
この圧縮バネ３５による下方への付勢によって、係止板６は溝３３ａ底面に当接した状態となり、係止板６の各鉤部６ａは前後の係止部４に同時に係止する。
【００４１】
上述したように、係止板６は、係止時には筐体２の壁内面側に沿うように近接し且つ必要最低限の離反で係止が外れる構成となっているため、係止板６の近接離反距離さえ確保できれば、既存の下台座部３１ｂ（空間Ｋ）内にロック機構５を内蔵可能となり、筐体２内で省スペース化が図れる。
また、圧縮バネ３５は、係止板６のピン孔６ｃ周辺部（つまり、略中央部）だけを押圧し且つピン孔６ｃは支持ピン３４との間に隙間を形成した状態で遊嵌されている。
【００４２】
このため、係止板６は、板台座３３の上で、溝３３ａ底面（筐体２の壁内面）に対して傾斜可能、すなわち、係止板６における前後少なくとも一方の端部だけが、溝３３ａ底面から離反して片持ち上がり可能となっている。
図１、図３に示すように、前記ビット部材８は、略円柱状の胴部８ａと、この胴部８ａの一端側に設けられた先細り状の当接部８ｂと、胴部８ａの他端側に設けられた胴部８ａより径が小さいビット径小部８ｃとを有している。このビット径小部８ｃと胴部８ａとの間にはビット段差８ｄが形成されている。
【００４３】
ビット部材８は、胴部８ａが貫通孔９の孔径大部９ｂより若干径小で、ビット径小部８ｃが孔径小部９ａ及び連通孔３７よりも若干径小に形成されており、貫通孔９内を出退自在に摺動できる。
また、ビット部材８は、胴部８ａの長さが貫通孔９の孔径大部９ｂと略同一で、ビット径小部８ｃの長さが孔径小部９ａ及び連通孔３７の孔長さの合計長さよりも長く形成されている。
【００４４】
よって、図１中の実線に示されたように、ビット部材８は、前記ビット段差８ｄが貫通孔９の孔段差９ｃに係止したときには、当接部８ｂの先端が板台座３３の溝３３ａ底面と略同じ高さに位置し且つ下方に付勢された係止板６の下面（筐体２の壁内面に近い側の面）に略当接する。
また、ビット段差８ｄが孔段差９ｃに係止するため、ビット部材８の貫通孔９からの抜止めがなされている。さらにビット段差８ｄが孔段差９ｃに係止したときには、下板２４ｃの下面（筐体２の壁外面）からビット部材８のビット径小部８ｃが外方へ突出することとなる。
【００４５】
したがって、図１中の仮想線に示す如く、突出したビット径小部８ｃを圧縮バネ３５の付勢力に抗って押し込むことで、ビット部材８が貫通孔９内に退き、当接部８ｂが係止板６の下面を押圧して、係止板６を板台座３３（筐体２の壁内面）から離反させられる。
この係止板６の離反によって、係止板６の鉤部６ａと蓋３の係止部４との係止が外れ、蓋３を開くことが可能となる（図１中の仮想線参照）。
【００４６】
一方、係止板６は圧縮バネ３５によって下方に付勢されているため、ビット径小部８ｃの押し込みを解くと、ビット部材８は貫通孔９内を下方（筐体２の壁外面側）へ摺動して再びビット径小部８ｃが下板２４ｃの下面から外方へ突出することとなる。
これによって、筐体２内に設けたロック機構５が筐体２の壁外面から解除（蓋３の開き）操作可能となり、筐体用蓋止め具１のすべてを外部に露出させずとも、ビット径小部８ｃが突出させるだけですむため、筐体２の壁外面での膨出を最小限に抑えられるとともに、筐体２の外観を向上させられる。
［前後いずれか又は両方の係止解除］
図３には、上述したように貫通孔９が支持ピン３４を挟んで前後に設けられているため、ビット部材８の径小部８ｃは前後に並んで２箇所に突出していることが示されている。
【００４７】
このとき、前後のビット径小部８ｃのいずれかを押し込めば、押し込んだ側の係止板６の端部を片持ち上げ、つまり、係止板６が板台座３３の溝３３ａ底面（筐体２の壁内面）に対して前後方向に傾斜して離反する。
したがって、係止板６が傾斜して離反すると、係止板６の前後端部のうち片持ち上がりした側の鉤部６ａのみが、同じ側の蓋３の係止部４との係止を外すことが可能となる。
【００４８】
これに加えて、前後のビット径小部８ｃを両方一度に押し込めば、係止板６が略水平（板台座３３の溝３３ａ底面に対して略平行）を保ったまま上方に移行（筐体２の壁内面から離反）することもできる。この場合には、係止板６と前後両方の係止部４との係止を同時に外すことも可能となる。
したがって、前後蓋３の開き動作の必要に応じて、臨機応変なロック解除が容易に行える。
【００４９】
なお、２組のビット部材８及び貫通孔９によって、係止板６を板台座３３から離反させる離反手段７が構成されている。
［筐体用蓋止め具１の使用態様］
図１〜４に示した筐体用蓋止め具１の使用態様を説明する。
すでに設置している発光装置２１に対して、筐体２内部の光源１０等の部品取換や、修理作業などをする際には、筐体２自体の設置位置（駅舎等の天井Ｔや建物の壁面Ｗ近傍など）、取り換える部品の大きさに応じて、前後いずれか又は両方の蓋３を開く必要がある。
【００５０】
そこで、作業者は、開きたい蓋３側のビット部材８を押し込んで、係止板６と係止部４との係止を外すこととなる。
また、案内表示や看板などの発光装置２１は、人目を引くために高い位置に取り付けられていることがほとんどであるが、作業者が脚立等で作業を行ったとしても、筐体２外部に突出したビット径小部８ｃを押し込むだけで蓋３のロック解除ができるため、作業が非常に容易にできる。
【００５１】
さらに、ロック機構５のうちビット径小部８ｃしか外部に突出していないため、作業中にコード類や衣類の引っかかりを抑えられ、目立つ筐体２下面もすっきりとしたデザインとなる。
発光装置２１の光源１０取換等が完了した後、光源１０に電流を供給し発光面２３に光を照らすことで、案内表示、広告物等を浮かび上がらせ人目を引く。
［参考形態］
続いて、筐体用蓋止め具１の参考形態を説明する。
【００５２】
図５には、参考形態である筐体用蓋止め具１を備えた発光装置２１が示されている。
参考形態に係る筐体用蓋止め具１が第１実施形態と最も異なるところは、筐体２の前面（片面）にのみ蓋３を有する点にある。
したがって、係止板６は、前側の鉤部６ａが係止部４の係止溝４ｂに係止して、前面側の蓋３の開き動作を阻止することとなる。
【００５３】
なお、図５では、係止板６は後側にも鉤部６ａが設けられ、ビット部材８及び貫通孔９は支持ピン３４の後側にも配備されているが、これらはなくてもよい。
また、発光装置２１は、蓋３のない筐体２後面側を壁面Ｗに取り付けており、外枠材２４の上板２４ａに取付部材２２は設けられていない。
その他の作用効果は第１実施形態と略同様である。
【００５４】
本発明は、前述した実施形態に限定されるものではない。筐体用蓋止め具１等の各構成又は全体の構造、形状、寸法などは、本発明の趣旨に沿って適宜変更することができる。
筐体用蓋止め具１は、発光装置２１の筐体２の蓋３を止めるものであったが、配電盤、キュービクルなどの密閉用筐体２の蓋３を止めるために用いてもよい。
筐体２は、略直方体状に形成されていなくとも、略円柱状であってもよい。
【００５５】
ロック機構５は、係止板６を押圧するビット部材８端部を外部に露出させていたが、筐体２の壁外面側から係止部４との係止を解除できるのであれば、係止板６の一部を外部に露出したり、係止板６とビット部材８とを一体とするなどいずれの構成であってもよい。
係止板６は、筐体２の壁内面へ近接する方向に付勢されていたが、逆に、筐体２の壁内面から離反する方向に付勢してもよい。この場合、係止板６の鉤部６ａは上方へ延設し、係止突起４ａの係止溝４ｂは下方開口状に形成される。
【００５６】
また、係止板６は、外枠材２４の下板２４ｃの前後幅より長くともよく、この際には、下台座部３１ｂに設けた孔から係止板６の鉤部６ａを前後に露出させ、この鉤部６ａと係止可能な開口部を、蓋３の下端部内面に係止部４として設けることとなる。
付勢手段３５は、圧縮バネであったが、係止板６を所望方向に付勢するのであれば、コイル状の引張バネや、板バネ等であってもよい。
【産業上の利用可能性】
【００５７】
本発明は、案内板、看板等の発光装置や、配電盤、キュービクルなどの筐体の蓋を止める蓋止め具、及びこの止め具を用いて蓋を止めるに関する発光装置として利用することができる。
【符号の説明】
【００５８】
１      筐体用蓋止め具
２      筐体
３      蓋
４      蓋の係止部
４ｂ    係止溝
５      ロック機構
６      係止板
６ａ    鉤部
６ｃ    ピン孔
８      ビット部材（押圧手段）
９      貫通孔
１０    光源
２１    発光装置
２３    発光面
３３    板台座（取り付け手段）
３３ａ  （板台座の）溝
３４    支持ピン（取り付け手段）
３４ａ  （支持ピンの）頭部
３５    付勢手段（圧縮バネ）
【図１】
0005271973.tif 000002
【図２】
0005271973.tif 000003
【図３】
0005271973.tif 000004
【図４】
0005271973.tif 000005
【図５】
0005271973.tif 000006